(57)【特許請求の範囲】
【請求項１】
側板を有しねじ孔を前記側板に有するプラグ本体と、前記ねじ孔に螺合するねじにより前記側板を取付けるプラグ取付体と、前記プラグ本体に保持され配線ダクトに差込まれて回転することにより前記配線ダクトに取付けられる第１の取付部および第２の取付部と、前記第１の取付部および前記第２の取付部を回転操作する操作部と、前記第１の取付部に設けられて前記第１の取付部の前記回転により前記配線ダクトの導体に接触する電気的接続部とを備えた配線ダクト用プラグ。
【請求項２】
側板を有しねじ孔を前記側板に有するプラグ本体と、前記ねじ孔に螺合するねじにより前記側板を取付けるプラグ取付体と、前記プラグ本体に保持され配線ダクトに差込まれて回転することにより前記配線ダクトに取付けられる第１の取付部および第２の取付部と、前記第１の取付部および前記第２の取付部を回転操作する操作部と、前記第１の取付部に設けられて前記第１の取付部の前記回転により前記配線ダクトの導体に接触する電気的接続部とを備え、
前記プラグ取付体は導電体であり、前記第１の取付部は、前記プラグ本体を前記プラグ取付体に取付ける際に、前記配線ダクトのアースと前記プラグ取付体とを導通するアース端子を有し、
前記アース端子は前記配線ダクトに接触する端部と、プラグ取付体に直接またはプラグ本体およびねじを介して接触する端部とを有する配線ダクト用プラグ。
【請求項３】
請求項１または請求項２記載の配線ダクト用プラグを有する電気器具。
【発明の詳細な説明】
【０００１】
【発明の属する技術分野】
この発明は、配線ダクト用プラグおよび照明器具等の電気器具に関するものである。
【０００２】
【従来の技術】
第１の従来例（例えば特開昭50-53895号) は、配線ダクトとの電気的接続部を２回路分有するもので、１つの操作具で２つの電気的接続部を連動動作させるものである。
第２の従来例（例えば特開昭64-81180号) は、一対の取付部および一対の電気接続のための栓刃を有するが、１つの操作具で一対の取付部が連動動作するのではなく、電気接続のための１つの栓刃のみが連動動作する配線ダクト用プラグである。
【０００３】
【発明が解決しようとする課題】
第１の従来例は単に２つの電気的接続部が連動するだけで、本来別々に取付けるべきものが一体になっているだけである。また第２の従来例は取付部は２個あるが個々の操作具の操作で行なうものである。
このため、配線ダクト用プラグに大きな外力が加わる場合、例えば配線ダクトに平行に長かったり、配線ダクトの幅方向に広いなどの大きな器具に使用する場合などでの安全性を確保することができないという課題があった。
【０００４】
したがって、この発明の目的は、大型の器具に適用しても安全を確保することができる配線ダクト用プラグおよび電気器具を提供することである。
【０００５】
【課題を解決するための手段】
請求項１記載の配線ダクト用プラグは、側板を有しねじ孔を前記側板に有するプラグ本体と、前記ねじ孔に螺合するねじにより前記側板を取付けるプラグ取付体と、前記プラグ本体に保持され配線ダクトに差込まれて回転することにより前記配線ダクトに取付けられる第１の取付部および第２の取付部と、前記第１の取付部および前記第２の取付部を回転操作する操作部と、前記第１の取付部に設けられて前記第１の取付部の前記回転により前記配線ダクトの導体に接触する電気的接続部とを備えたものである。
【０００６】
請求項１記載の配線ダクト用プラグによれば、操作具の操作に連動する第１の取付部と第２の取付部とを有するので、配線ダクトへの取付強度を十分に確保できる。そのため電気器具に複数の配線ダクト用プラグを使用する場合には、大型の器具でも十分な取付強度を有し安全を確保することができる。  
【０００７】
またプラグ本体の側板に被取付部を設けたため、プラグ本体をプラグ取付体に横方向に取付けるので器具の薄形化が可能であり、また取付時の傾きを防止することができる。また被取付部をねじ孔としてねじによりプラグ取付体に取付けるようにする場合、ねじの剪断力により支えることができるので器具を取付けるための十分な強度が確保でき、また器具組立工具の統一が図りやすい。
【０００８】
請求項２記載の配線ダクト用プラグは、側板を有しねじ孔を前記側板に有するプラグ本体と、前記ねじ孔に螺合するねじにより前記側板を取付けるプラグ取付体と、前記プラグ本体に保持され配線ダクトに差込まれて回転することにより前記配線ダクトに取付けられる第１の取付部および第２の取付部と、前記第１の取付部および前記第２の取付部を回転操作する操作部と、前記第１の取付部に設けられて前記第１の取付部の前記回転により前記配線ダクトの導体に接触する電気的接続部とを備え、
前記プラグ取付体は導電体であり、前記第１の取付部は、前記プラグ本体を前記プラグ取付体に取付ける際に、前記配線ダクトのアースと前記プラグ取付体とを導通するアース端子を有し、
前記アース端子は前記配線ダクトに接触する端部と、プラグ取付体に直接またはプラグ本体およびねじを介して接触する端部とを有するものである。
請求項２記載の配線ダクト用プラグによれば、請求項１と同様な効果のほか、プラグ取付体のアースを別工程なしにとることができ、プラグ取付作業の際の器具組立時間を削減できるとともに、電線などの材料を削減でき、作業ミスや工程能力差がなくなりアース接続作業の確実性を保持できる。
【０００９】
請求項３記載の電気器具は、請求項１または請求項２記載の配線ダクト用プラグを有するものである。
【００１０】
請求項３記載の電気器具によれば、請求項１または請求項２と同様な効果を有する。
【００１１】
【発明の実施の形態】
この発明の第１の実施の形態を図１から図６により説明する。すなわち、この電気器具は照明器具に適用したものであり、器具本体１と、一対の配線ダクト用プラグ２、３とを有する。
配線ダクト４は、図２に示すように天井５の下面に取付けられている。その構造は例えば図３に示すように、アースを兼ねた導電性の溝形のダクト本体４６と、このダクト本体４６の表面の全体を被覆した絶縁体４７と、絶縁体４７の内側面に配設された一対の導体１０とで構成している。１１は配線ダクト４の開口、１２は取付溝部である。
【００１２】
器具本体１は、例えば配線ダクト４に沿う方向に長い直管蛍光ランプを複数本並列に配設している。
一対の配線ダクト用プラグ２、３は、図４および図５に示すように、器具本体１に設けられて器具本体１の配線ダクト４に沿う方向の両端にそれぞれ操作具６、７を有し、配線ダクト４に差込れて操作具６、７の操作に連動して回転することにより配線ダクト４に取付けられる第１の取付部８および第２の取付部９を有する。そして、配線ダクト用プラグ２、３の少なくとも一方、すなわちこの実施の形態では配線ダクト用プラグ２は、配線ダクト４に差込れて操作具６に連動して回転することにより配線ダクト４の導体１０に接触する電気的接続部１３を有する。
【００１３】
すなわち、配線ダクト用プラグ２の構造は、操作具６と、配線ダクト４に差込れて操作具６の操作に連動して回転することにより配線ダクト４に取付けられる第１の取付部８および第２の取付部９と、第１の取付部８に設けられて第１の取付部８の回転により配線ダクト４の導体１０に接触する電気的接続部１３とで構成している。
【００１４】
実施の形態の配線ダクト用プラグ２は、第１の取付部８および第２の取付部９を保持するものであって、被取付部２６のある側板２５をもったプラグ本体２７を有し、被取付部２６を取付けるプラグ取付体２８を有する。具体的にはプラグ本体２７は一対の側板２５と底板３０からなる金属製の導電体を略Ｕ字形に折曲したものであり、側板２５の一端側に底板３０との間に操作具６を通す隙間４５を設けてカバー部３１を折曲している。被取付部２６は例えばねじ孔である。プラグ取付体２８は図６に示すように金属導電板を用い、両側にフランジのある略Ｕ字形であり、プラグ本体２７を収納できる大きさを有し、側板２５の被取付部２６に整合する位置にねじ挿通孔３３を形成し、ねじ挿通孔３３に連結具であるねじ３４を通し、被取付部２６にねじ込んでプラグ本体２７をプラグ取付体２８に固定している。
【００１５】
また配線ダクト用プラグ２の内部構造は、プラグ本体２７の底板３０に形成した貫通孔３５、３６に回動自在に貫設した一対の絶縁体１６、１７と、この絶縁体１６、１７の外周に設けられて互いに噛み合ったギヤ部１８、１９と、ギヤ部１８に設けられた操作具６とで構成している。絶縁体１６は第１の取付部８を有し、絶縁体１７は第２の取付部９を有し、絶縁体１７が絶縁体１６よりも器具本体１の内側に位置している。また絶縁体１６は、回転中心にアース端子取付け用貫通孔２１を形成し、また貫通孔２１を間にして貫通孔２１に平行であって上端が第１の取付部８の上側で第１の取付部８の延出方向と同方向に開口した導電体挿通孔２２を形成している。この導電体挿通孔２２に沿うように略Ｌ字形の接触片を用いた電気接続部１３を内蔵してその先端１３ａを第１の取付部８と平行に外方に突出し、他端にリード線４０を接続している。
【００１６】
実施の形態の配線ダクト用プラグ３は、配線ダクト用プラグ２の接触片１３がなく、貫通孔２１にアース端子４１を設けた点が異なるだけで、操作具７は操作具６と同構成であるほか、その他の構造は同じである。すなわち、配線ダクト用プラグ３のアース端子４１は、第１の取付部８がプラグ本体２７をプラグ取付体２８に取付ける際に、配線ダクト４のアースとプラグ取付体２８とを導通する。これは、図５に示すように、アース端子４１の上端４１ａおよび下端４１ｂをそれぞれ外方に突出し、ねじ３４でプラグ本体２７をプラグ取付体２８に取付けたとき、プラグ取付体２８の底板２８ａに下端４１ｂを圧接して電気的に接続している。また器具本体１への取付けも、第１の実施の形態と同様に絶縁体１６が器具本体１の端部に位置し、絶縁体１７が絶縁体１６よりも内側に位置する。
【００１７】
配線ダクト４への接続について説明する。器具本体１を配線ダクト４に近づけて、例えば配線ダクト用プラグ２を先に配線ダクト４内に挿入する。このとき、第１の取付部８および第２の取付部９および電気的接続部１３の先端１３ａは配線ダクトの長手方向に平行にしていると挿入可能となる。操作具６を回動操作すると、第１の取付部８および第２の取付部９が９０度回転して取付用溝部１２に係止し、配線ダクト用プラグ２が取付けられる。同時に電気的接続部１３の先端１３ａが９０度回転して導体１０に接触する。
【００１８】
つぎに配線ダクト用プラグ３の第１の取付部８および第２の取付部９を差込み、操作具７を回動操作すると、配線ダクト用プラグ２と同様に配線ダクト４に取付けられる。このとき、アース端子４１の上端４１ａは絶縁体４７を貫通してダクト本体４６に電気的に接触する。これによって、ダクト本体４６とプラグ取付体２８とがアース端子４１を介して導通し、アースを取ることができる。
【００１９】
この実施の形態によれば、操作具６、７の操作に連動する第１の取付部８と第２の取付部９とを有するので、配線ダクト４への取付強度を十分に確保できる。そのため器具本体１に複数の配線ダクト用プラグ２、３を使用する場合には、大型の器具でも十分な取付強度を有し安全を確保することができ、ランプ交換や器具の振れに対する強度の確保も図れる。
【００２０】
またプラグ本体２７の側板２５に被取付部２６を設けたため、プラグ本体２７をプラグ取付体２８に横方向に取付けるので器具の薄形化が可能であり、また取付時の傾きを防止することができる。この被取付部２６をねじ孔として取付具であるねじ３４によりプラグ取付体２８に取付けたため、ねじ３４の剪断力により支えることができるので器具を取付けるための十分な強度が確保でき、また器具組立工具の統一が図りやすい。例えば照明器具の器具組立ラインには、ナットはめったに管理できるラインがないが、ドライバが必ずあるのでトルクの設定も容易にでき、器具組立工具の統一が図れる。従来はプラグの下方にスポットライトの器具などのアームをナットで取付けており薄形化が図れず、取付強度も確保しにくかった。
【００２１】
プラグ取付体２８は導電体であり、第１の取付部８は、プラグ本体２７をプラグ取付体２８に取付ける際に、配線ダクト４のアース（ダクト本体８）とプラグ取付体２８とを導通するアース端子４１を有するため、プラグ取付体２８のアースを別工程なしにとることができ、プラグ取付作業の際の器具組立時間を削減できるとともに、電線などの材料を削減でき、作業ミスや工程能力差がなくなりアース接続作業の確実性を保持できる。この点、従来はねじ端子などの端子によりアース線を接続するものや、プラグ内のナットにアース端子しが接続または接触しており、そのナットに器具をねじ込み固定することにより導通をとるものであった。この実施の形態では、力がいらず容易にかつ確実にアースをとることができる。
【００２２】
またプラグ２、３の少なくとも一方は配線ダクト４に差込れて操作部６、７に連動して回転することにより配線ダクト４の導体１０に接触する電気的接続部１３を有するため、片方の例えば配線ダクト用プラグ２を配線ダクト４に取付けただけで万が一手を離したり、器具本体１を支えている力をゆるめても器具本体１が落下することがなく器具本体１が破損することがなく、再使用することができるだけの強度を保つことが可能となり安全が図れる。また器具本体１の両端の操作具６、７を操作することにより器具本体１の部品を着脱することなく、容易に配線ダクト４に着脱できるので着脱作業が容易である。
【００２３】
この発明の第２の実施の形態を図７に示す。すなわち、この配線ダクト用プラグは、第１の実施の形態のアース端子４１に代えて、アース端子４９を略Ｚ字形に折曲したものである。この場合、第１の絶縁体１６のアース端子取付用貫通孔２１がアース端子４９の形状に合わせて第１の絶縁体１６の径方向に延びる段曲がり部２１ａを境に略Ｚ字形に折れ曲がっており、段曲がり部２１ａよりも上は第１の実施の形態と同様に第１の絶縁体１６の中心を通り、段曲がり部２１ａよりも下側は第１の絶縁体１６の周面に露出している。アース端子４９をアース端子取付け用貫通孔２１に沿って挿通すると、段曲がり部２１ａより下の部分は第１の絶縁体１６を回転自在に支持する孔３５の内周面に摺接する。このため、アース端子４１は導電性のプラグ本体２７と電気的に接触し、プラグ本体２７は導電体のねじ３４を通してプラグ取付体２８に導通しているので、配線ダクト用プラグを配線ダクト４に取付けてアース端子４９の上端４９ａを絶縁体４７を貫通してダクト本体４６に接触させると、配線ダクト４のダクト本体４６をプラグ取付体２８に導通することができ、アースをとることができる。この場合、操作具７を回動してもアース端子４９はプラグ本体２７に摺接して回動するので、配線ダクト用プラグにプラグ取付体２８をねじ３４で固定することにより、つねにプラグ本体２７よりアースをとることができる。
【００２４】
その他の構成および作用効果は、第１の実施の形態と同様である。
なお、この発明において、配線ダクト用プラグ２に代えて配線ダクト用プラグ３に電気的接続部１３を設けてもよく、あるいは両方に電気的接続部１３を設けてもよい。アース端子４１も少なくともいずれか一方に設ければよく両方に設けることも可能であり、さらにアース端子４１が不要な場合にはアース端子４１を除去し、機械的取付けのみを目的とした配線ダクト用プラグにすることが可能である。
【００２５】
また、第２の実施の形態は、第１の実施の形態の電気的接続部１３を省略しているが、絶縁体１６の中心に対して段曲げ部２１ａの延び方向と交差する方向に第１の実施の形態と同様に一対の導電体挿通孔２２を形成してもよい。
また、上記の各実施の形態の配線ダクト用プラグは絶縁体１６、１７を歯車を中継部材として連動したが、中継部材としてベルトやその他の部材でもよい。また操作具６、７は回動操作するものであったが、直線動作たとえば押し引き動作により摩擦やギヤなどにより操作具の力を直接に各絶縁体１６、１７に伝えてこれらを回転させる構成でもよい。
【００２６】
【発明の効果】
請求項１記載の配線ダクト用プラグによれば、操作具の操作に連動する第１の取付部と第２の取付部とを有するので、配線ダクトへの取付強度を十分に確保できる。そのため電気器具に複数の配線ダクト用プラグを使用する場合には、大型の器具でも十分な取付強度を有し安全を確保することができる。
【００２７】
またプラグ本体の側板に被取付部を設けたため、プラグ本体をプラグ取付体に横方向に取付けるので器具の薄形化が可能であり、また取付時の傾きを防止することができる。また被取付部をねじ孔としてねじによりプラグ取付体に取付けるようにする場合、ねじの剪断力により支えることができるので器具を取付けるための十分な強度が確保でき、また器具組立工具の統一が図りやすい。
【００２８】
請求項２記載の配線ダクト用プラグによれば、請求項１と同様な効果のほか、プラグ取付体のアースを別工程なしにとることができ、プラグ取付作業の際の器具組立時間を削減できるとともに、電線などの材料を削減でき、作業ミスや工程能力差がなくなりアース接続作業の確実性を保持できる。
請求項３記載の電気器具によれば、請求項１または請求項２と同様な効果を有する。
【図面の簡単な説明】
【図１】この発明の第１の実施の形態の配線ダクト用プラグの斜視図である。
【図２】配線ダクトに接続された照明器具の側面図である。
【図３】配線ダクトの断面図である。
【図４】配線ダクト用プラグの断面図である。
【図５】アース用配線ダクト用プラグの断面図である。
【図６】配線ダクト用プラグのプラグ取付体への取付けを示す分解斜視図である。
【図７】第２の実施の形態の配線ダクト用プラグの断面図である。
【符号の説明】
１    器具本体
２    配線ダクト用プラグ
３    配線ダクト用プラグ
４    配線ダクト
５    天井
６    操作具
７    操作具
８    第１の取付部
９    第２の取付部
１０    導体
１３    電気的接続部
２５    側板
２６    被取付部
２７    プラグ本体
２８    プラグ取付体
４１    アース端子
【図１】
0003674303.tif 000002
【図２】
0003674303.tif 000003
【図３】
0003674303.tif 000004
【図４】
0003674303.tif 000005
【図５】
0003674303.tif 000006
【図６】
0003674303.tif 000007
【図７】
0003674303.tif 000008